(57)【特許請求の範囲】
【請求項１】
ユーザ機器（ＵＥ）を動作させる方法であって、
前記ＵＥにおいて、第１のミリメートル波基地局（ｍｗＢ）から第１の情報を受信することと、ここにおいて前記第１の情報が前記第１のｍｗＢのリソース割振り情報を備え、
前記受信された第１の情報に基づいて第２の情報を決定することと、ここにおいて前記第２の情報が前記第１のｍｗＢのリソース割振り情報を備え、
少なくとも１つの他のｍｗＢの発見中に、または、ビーム探索／追跡中に、前記第２の情報を前記ＵＥから前記少なくとも１つの他のｍｗＢに送信することと、ここにおいて、前記ＵＥは、前記第１のｍｗＢと前記少なくとも１つの他のｍｗＢとの間のリレーである、
を備え、
ここにおいて、前記第１の情報および前記第２の情報が、前記第１のｍｗＢと前記少なくとも１つの他のｍｗＢとの間の同期またはネットワーク状態のうちの少なくとも１つに関係する、方法。
【請求項２】
前記第１の情報が前記第１のｍｗＢのタイミング情報を備え、
前記第２の情報を前記決定することが、
前記第１のｍｗＢの前記タイミング情報と前記少なくとも１つの他のｍｗＢのタイミング情報との間のタイミング差異を測定することを備え、
前記第２の情報を前記送信することが、前記測定されたタイミング差異を前記少なくとも１つの他のｍｗＢに送信することを備える、請求項１に記載の方法。
【請求項３】
前記第２の情報が前記第１の情報であると決定され、
前記第２の情報を前記送信することが、前記第１のｍｗＢの前記リソース割振り情報を前記少なくとも１つの他のｍｗＢに送信することを備える、請求項１に記載の方法。
【請求項４】
前記少なくとも１つの他のｍｗＢから干渉信号を受信すること
をさらに備え、
ここにおいて、前記第１のｍｗＢの前記リソース割振り情報は、前記干渉信号が受信されたとき、前記少なくとも１つの他のｍｗＢに送信される、請求項３に記載の方法。
【請求項５】
前記第１のｍｗＢが前記少なくとも１つの他のｍｗＢから干渉を受信し、前記方法が、
前記第１のｍｗＢから、前記第１のｍｗＢの前記リソース割振り情報を前記少なくとも１つの他のｍｗＢに送信するようにとの命令を受信することをさらに備え、
ここにおいて、前記第１のｍｗＢの前記リソース割振り情報が、前記命令に基づいて前記少なくとも１つの他のｍｗＢに送信される、請求項３に記載の方法。
【請求項６】
前記少なくとも１つの他のｍｗＢから第４の情報を受信することと、
前記受信された第４の情報に基づいて第３の情報を決定することと
をさらに備える、請求項１に記載の方法。
【請求項７】
前記第４の情報が前記少なくとも１つの他のｍｗＢのタイミング情報を備え、
前記第３の情報を前記決定することが、前記少なくとも１つの他のｍｗＢの前記タイミング情報と前記第１のｍｗＢのタイミング情報との間のタイミング差異を測定することを備え、
前記第３の情報を前記決定することが、前記測定されたタイミング差異を前記第１のｍｗＢに送信することを備える、請求項６に記載の方法。
【請求項８】
前記第４の情報が前記少なくとも１つの他のｍｗＢのリソース割振り情報を備え、
前記第３の情報が前記第４の情報であると決定され、
前記第３の情報を前記決定することが、前記少なくとも１つの他のｍｗＢの前記リソース割振り情報を前記第１のｍｗＢに送信することを備える、請求項６に記載の方法。
【請求項９】
ユーザ機器（ＵＥ）であって、
第１のミリメートル波基地局（ｍｗＢ）から第１の情報を受信するための手段と、ここにおいて前記第１の情報が前記第１のｍｗＢのリソース割振り情報を備え、
前記受信された第１の情報に基づいて第２の情報を決定するための手段と、ここにおいて前記第２の情報が前記第１のｍｗＢのリソース割振り情報を備え、
少なくとも１つの他のｍｗＢの発見中に、または、ビーム探索／追跡中に、前記第２の情報を前記ＵＥから前記少なくとも１つの他のｍｗＢに送信するための手段と、ここにおいて、前記ＵＥは、前記第１のｍｗＢと前記少なくとも１つの他のｍｗＢとの間のリレーである、
を備え、
ここにおいて、前記第１の情報および前記第２の情報が、前記第１のｍｗＢと前記少なくとも１つの他のｍｗＢとの間の同期またはネットワーク状態のうちの少なくとも１つに関係する、ＵＥ。
【請求項１０】
前記第１の情報が前記第１のｍｗＢのタイミング情報を備え、
前記第２の情報を決定するための前記手段が、前記第１のｍｗＢの前記タイミング情報と前記少なくとも１つの他のｍｗＢのタイミング情報との間のタイミング差異を測定するように構成され、
前記第２の情報を送信するための前記手段が、前記測定された第１のタイミング差異または前記測定された第２のタイミング差異のうちの前記少なくとも１つを前記少なくとも１つの他のｍｗＢに送信するように構成された、請求項９に記載のＵＥ。
【請求項１１】
i)    前記第２の情報が前記第１の情報であると決定され、
前記第２の情報を送信するための前記手段が、前記第１のｍｗＢの前記リソース割振り情報を前記少なくとも１つの他のｍｗＢに送信するように構成された、または
ii)  下記をさらに備える、
前記少なくとも１つの他のｍｗＢから第４の情報を受信するための手段、および
前記受信された第４の情報に基づいて第３の情報を決定するための手段、
上記のうちの１つを備える、請求項１０に記載のＵＥ。
【請求項１２】
i)   下記をさらに備える、
前記少なくとも１つの他のｍｗＢから干渉信号を受信するための手段、
ここにおいて、前記第１のｍｗＢの前記リソース割振り情報は、前記干渉信号が受信されたとき、前記少なくとも１つの他のｍｗＢに送信される、または
ii)  前記第１のｍｗＢが前記少なくとも１つの他のｍｗＢから干渉を受信し、前記ＵＥが、
前記第１のｍｗＢから、前記第１のｍｗＢの前記リソース割振り情報を前記少なくとも１つの他のｍｗＢに送信するようにとの命令を受信するための手段をさらに備え、
ここにおいて、前記第１のｍｗＢの前記リソース割振り情報が、前記命令に基づいて前記少なくとも１つの他のｍｗＢに送信される、
上記のうちの１つを備える、請求項１１に記載のＵＥ。
【請求項１３】
i)    前記第４の情報が前記少なくとも１つの他のｍｗＢのタイミング情報を備え、
前記第３の情報を決定するための前記手段が、前記少なくとも１つの他のｍｗＢの前記タイミング情報と前記第１のｍｗＢのタイミング情報との間の第２のタイミング差異を測定するように構成され、
前記第３の情報を送信するための前記手段が、前記前記測定されたタイミング差異のうちの前記少なくとも１つを前記第１のｍｗＢに送信するように構成された、または
ii)   ここにおいて、
前記第４の情報が前記少なくとも１つの他のｍｗＢのリソース割振り情報を備え、
前記第３の情報が前記第４の情報であると決定され、
前記第３の情報を送信するための前記手段が、前記少なくとも１つの他のｍｗＢの前記リソース割振り情報を前記第１のｍｗＢに送信するように構成された、
請求項１１に記載のＵＥ。
【請求項１４】
少なくとも１つのプロセッサ上で実行されたとき、
ユーザ機器（ＵＥ）において、第１のミリメートル波基地局（ｍｗＢ）から第１の情報を受信するステップと、ここにおいて前記第１の情報が前記第１のｍｗＢのリソース割振り情報を備え、
前記受信された第１の情報に基づいて第２の情報を決定するステップと、ここにおいて前記第２の情報が前記第１のｍｗＢのリソース割振り情報を備え、
少なくとも１つの他のｍｗＢの発見中に、または、ビーム探索／追跡中に、前記第２の情報を前記ＵＥから前記少なくとも１つの他のｍｗＢに送信するステップと、ここにおいて、前記ＵＥは、前記第１のｍｗＢと前記少なくとも１つの他のｍｗＢとの間のリレーである、
を実行するコードを備え、
ここにおいて、前記第１の情報および前記第２の情報が、前記第１のｍｗＢと前記少なくとも１つの他のｍｗＢとの間の同期またはネットワーク状態のうちの少なくとも１つに関係する、コンピュータプログラム。
【発明の詳細な説明】
【技術分野】
【０００１】
関連出願の相互参照
[0001]  本出願は、その全体が参照により本明細書に明確に組み込まれる、２０１４年５月２２日に出願された「METHOD AND APPARATUS FOR SYNCHRONIZING AND PROPAGATING STATE INFORMATION IN WIRELESS DOWNLINK/UPLINK」と題する米国特許出願第１４／２８５，４９９号の利益を主張する。
【０００２】
[0002]  本開示は、一般に、通信システムに関し、より詳細には、ワイヤレスミリメートル波ネットワークにおける２つのミリメートル波基地局（ｍｗＢ：millimeter-wave base station）間で制御情報（control information）を同期（synchronization）および／または共有（share）するためにユーザ機器（ＵＥ：user equipment）を利用することに関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示の一態様では、方法、コンピュータプログラム製品（computer program product）、および装置が提供される。本装置は、第１のミリメートル波基地局（ｍｗＢ）から第１の情報（first information）を受信し、受信された第１の情報に基づいて第２の情報（second information）を決定し、少なくとも１つの他のｍｗＢに第２の情報を送信する。第１の情報と第２の情報とは、第１のｍｗＢと少なくとも１つの他のｍｗＢとの間の同期および／またはネットワーク状態（network state）に関係する。
【図面の簡単な説明】
【０００６】
【図１】[0006]  ネットワークアーキテクチャの一例を示す図。
【図２】[0007]  アクセスネットワークの一例を示す図。
【図３】[0008]  ＬＴＥにおけるＤＬフレーム構造の一例を示す図。
【図４】[0009]  ＬＴＥにおけるＵＬフレーム構造の一例を示す図。
【図５】[0010]  ユーザプレーンおよび制御プレーンのための無線プロトコルアーキテクチャの一例を示す図。
【図６】[0011]  アクセスネットワーク中の発展型ノードＢおよびユーザ機器の一例を示す図。
【図７】[0012]  デバイスツーデバイス（device-to-device）通信システムの図。
【図８Ａ】[0013]  ＬＴＥシステムとともに使用されるｍｍＷシステムの例示的な展開を示す図。
【図８Ｂ】ＬＴＥシステムとともに使用されるｍｍＷシステムの例示的な展開を示す図。
【図８Ｃ】ＬＴＥシステムとともに使用されるｍｍＷシステムの例示的な展開を示す図。
【図９】[0014]  高い伝搬減衰（propagation attenuation）と短いキャリア波長（carrier wavelength）とをもつ無線信号を通信するワイヤレスネットワークを示す図。
【図１０】[0015]  ワイヤレス通信の方法のフローチャート。
【図１１】[0016]  例示的な装置中の異なるモジュール／手段／構成要素間のデータフローを示すデータフロー図。
【図１２】[0017]  処理システムを採用する装置のためのハードウェア実装形態の一例を示す図。
【発明を実施するための形態】
【０００７】
[0018]  添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0019]  次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【０００９】
[0020]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令（instruction）、命令セット、コード（code）、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0021]  したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体（computer-readable medium）上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１１】
[0022]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示する様々な概念は、回線交換サービスを提供するネットワークに拡張され得る。
【００１２】
[0023]  Ｅ−ＵＴＲＡＮは、発展型ノードＢ（ｅＮＢ：evolved Node B）１０６と、他のｅＮＢ１０８と、マルチキャスト協調エンティティ（ＭＣＥ：Multicast Coordination Entity）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0024]  ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１４】
[0025]  一態様では、ＵＥ１０２は、ＬＴＥネットワークとミリメートル波（ｍｍＷ：millimeter wave）システムとを介して信号を通信することが可能である。したがって、ＵＥ１０２は、ＬＴＥリンク上でｅＮＢ１０６および／または他のｅＮＢ１０８と通信し得る。さらに、ＵＥ１０２は、ｍｍＷリンク上で（ｍｍＷシステム通信が可能な）接続ポイント（ＣＰ：connection point）または基地局（ＢＳ：base station）１３０と通信し得る。
【００１５】
[0026]  さらなる態様では、他のｅＮＢ１０８のうちの少なくとも１つは、ＬＴＥネットワークとｍｍＷシステムとを介して信号を通信することが可能であり得る。したがって、ｅＮＢ１０８はＬＴＥ＋ｍｍＷ  ｅＮＢと呼ばれることがある。別の態様では、ＣＰ／ＢＳ１３０は、ＬＴＥネットワークとｍｍＷシステムとを介して信号を通信することが可能であり得る。したがって、ＣＰ／ＢＳ１３０はＬＴＥ＋ｍｍＷ  ＣＰ／ＢＳと呼ばれることがある。ＵＥ１０２は、ＬＴＥリンク上で、ならびにｍｍＷリンク上で他のｅＮＢ１０８と通信し得る。
【００１６】
[0027]  また別の態様では、他のｅＮＢ１０８は、ＬＴＥネットワークとｍｍＷシステムとを介して信号を通信することが可能であり得るが、ＣＰ／ＢＳ１３０は、ｍｍＷシステムのみを介して信号を通信することが可能である。したがって、ＬＴＥネットワークを介して他のｅＮＢ１０８にシグナリングすることができないＣＰ／ＢＳ１３０は、ｍｍＷバックホールリンク（backhaul link）上で他のｅＮＢ１０８と通信し得る。
【００１７】
[0028]  図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリアを指すことがあり、および／またはｅＮＢサブシステムサービングは特定のカバレージエリアである。さらに、「ｅＮＢ」、「基地局」、および「セル」という用語は、本明細書では互換的に使用されることがある。
【００１８】
[0029]  一態様では、ＵＥ２０６は、ＬＴＥネットワークとミリメートル波（ｍｍＷ）システムとを介して信号を通信し得る。したがって、ＵＥ２０６はＬＴＥリンク上でｅＮＢ２０４と通信し、ｍｍＷリンク上で（ｍｍＷシステム通信が可能な）接続ポイント（ＣＰ）または基地局（ＢＳ）２１２と通信し得る。さらなる態様では、ｅＮＢ２０４およびＣＰ／ＢＳ２１２は、ＬＴＥネットワークとｍｍＷシステムとを介して信号を通信し得る。したがって、ＵＥ２０６は、（ｅＮＢ２０４がｍｍＷシステム通信が可能であるとき）ＬＴＥリンクとｍｍＷリンクとの上でｅＮＢ２０４と通信するか、または（ＣＰ／ＢＳ２１２がＬＴＥネットワーク通信が可能であるとき）ｍｍＷリンクとＬＴＥリンクとの上でＣＰ／ＢＳ２１２と通信し得る。また別の態様では、ｅＮＢ２０４はＬＴＥネットワークとｍｍＷシステムとを介して信号を通信するが、ＣＰ／ＢＳ２１２はｍｍＷシステムのみを介して信号を通信する。したがって、ＬＴＥネットワークを介してｅＮＢ２０４をシグナリングすることができないＣＰ／ＢＳ２１２は、ｍｍＷバックホールリンク上でｅＮＢ２０４と通信し得る。
【００１９】
[0030]  アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００２０】
[0031]  ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元（recover）することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００２１】
[0032]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２２】
[0033]  以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２３】
[0034]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２４】
[0035]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続サブキャリアのすべてを単一のＵＥに割り当てることを可能にし得る連続サブキャリアを含むデータセクションを生じる。
【００２５】
[0036]  ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２６】
[0037]  初期システムアクセスを実施し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００２７】
[0038]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３で示される。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２８】
[0039]  ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２９】
[0040]  ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３０】
[0041]  制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００３１】
[0042]  図６は、アクセスネットワーク中でＵＥ６５０と通信している基地局６１０のブロック図である。基地局６１０は、たとえば、ＬＴＥシステムのｅＮＢ、ミリメートル波（ｍｍＷ）システムの接続ポイント（ＣＰ）／アクセスポイント／基地局、ＬＴＥシステムとｍｍＷシステムとを介して信号を通信することが可能なｅＮＢ、またはＬＴＥシステムとｍｍＷシステムとを介して信号を通信することが可能な接続ポイント（ＣＰ）／アクセスポイント／基地局であり得る。ＵＥ６５０は、ＬＴＥシステムおよび／またはｍｍＷシステムを介して信号を通信することが可能であり得る。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３２】
[0043]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーション（constellation）へのマッピングとを可能にするためのコーディングとインターリービングとを含む。コーディングされ変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３３】
[0044]  ＵＥ６５０において、各受信機６５４ＲＸは、それのそれぞれのアンテナ６５２を通して信号を受信する。各受信機６５４ＲＸは、ＲＦキャリア上で変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、基地局６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上で基地局６１０によって最初に送信されたデータと制御信号とを復元するために復号され、デインターリーブされる。データおよび制御信号は、次いで、コントローラ／プロセッサ６５９に与えられる。
【００３４】
[0045]  コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＤＬでは、コントローラ／プロセッサ６５９は、コアネットワークからの上位レイヤパケットを復元するために、トランスポートチャネルと論理チャネルとの間の多重分離と、パケットリアセンブリ（packet reassembly）と、解読（decipher）と、ヘッダ復元（header decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。
【００３５】
[0046]  ＵＬでは、データソース６６７は、コントローラ／プロセッサ６５９に上位レイヤパケットを与えるために使用される。データソース６６７は、Ｌ２レイヤの上のすべてのプロトコルレイヤを表す。基地局６１０によるＤＬ送信に関して説明した機能と同様に、コントローラ／プロセッサ６５９は、ヘッダ圧縮と、暗号化と、パケットのセグメンテーションおよび並べ替えと、基地局６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、基地局６１０へのシグナリングとを担当する。
【００３６】
[0047]  基地局６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３７】
[0048]  ＵＬ送信は、ＵＥ６５０における受信機機能に関して説明した方法と同様の方法で基地局６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３８】
[0049]  コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするために、ＡＣＫおよび／またはＮＡＣＫプロトコルを使用する誤り検出を担当する。
【００３９】
[0050]  図７はデバイスツーデバイス（device-to-device）通信システム７００の図である。デバイスツーデバイス通信システム７００は複数のワイヤレスデバイス７０４、７０６、７０８、７１０を含む。デバイスツーデバイス通信システム７００は、たとえば、ワイヤレスワイドエリアネットワーク（ＷＷＡＮ：wireless wide area network）などのセルラー通信システムと重なり得る。ワイヤレスデバイス７０４、７０６、７０８、７１０の一部は、ＤＬ／ＵＬ  ＷＷＡＮスペクトルを使用してデバイスツーデバイス通信において互いに通信し、一部は基地局７０２と通信し、一部は両方を行い得る。たとえば、図７に示されているように、ワイヤレスデバイス７０８、７１０はデバイスツーデバイス通信中であり、ワイヤレスデバイス７０４、７０６はデバイスツーデバイス通信中である。ワイヤレスデバイス７０４、７０６は基地局７０２とも通信している。
【００４０】
[0051]  以下で説明する例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイスツーデバイス通信システムなど、様々なワイヤレスデバイスツーデバイス通信システムのいずれにも適用可能である。説明を簡略化するために、例示的な方法および装置についてＬＴＥのコンテキスト内で説明する。ただし、例示的な方法および装置は様々な他のワイヤレスデバイスツーデバイス通信システムにより一般的に適用可能であることを、当業者は理解されよう。
【００４１】
[0052]  ＬＴＥを求めるモチベーションは、モバイルデータ需要のためのセルラーネットワーク帯域幅を増加させることである。モバイルデータ需要が増加するにつれて、その需要を維持するために様々な他の技術が利用され得る。たとえば、高速モバイルデータは、ミリメートル波（ｍｍＷ）チャネルを使用して配信され得る。
【００４２】
[0053]  ｍｍＷリンクは、ｍｍＷビームフォーミングが可能な送信機からｍｍＷビームフォーミングが可能な受信機へのベースバンドシンボルの配信として定義され得る。ｍｍＷリソースユニットは、ビーム幅とビーム方向とタイムスロットとの特定の組合せを含み得る。タイムスロットはＬＴＥサブフレームの部分であり、ＬＴＥ物理ダウンリンク制御チャネル（ＰＤＣＣＨ：physical downlink control channel）フレームタイミングと整合され得る。送信機において送信電力を増加させることなしに受信ｍｍＷ信号強度を効果的に増加させるために、ビームフォーミングが適用され得る。送信機と受信機のいずれかまたはその両方のｍｍＷビーム幅を低減することによって、受信機利得が増加され得る。たとえば、ビーム幅は、アンテナアレイに位相シフトを適用することによって変更され得る。
【００４３】
[0054]  ｍｍＷ通信システムは超高周波数帯域（たとえば、１０ＧＨｚ〜３００ＧＨｚ）において動作し得る。そのような高キャリア周波数は、大きい帯域幅の使用を可能にする。たとえば、６０ＧＨｚ  ｍｍＷワイヤレスネットワークは約６０ＧＨｚ周波数帯域において大きい帯域幅を与え、（たとえば、６．７Ｇｂｐｓまでの）極めて高いデータレートをサポートする能力を有する。たとえば、超高周波数帯域はバックホール通信のために使用されるか、またはネットワークアクセス（たとえば、ネットワークにアクセスするＵＥ）のために使用され得る。ｍｍＷシステムによってサポートされる適用例は、たとえば、非圧縮ビデオストリーミング、ｓｙｎｃ−ｎ−ｇｏファイル転送、ビデオゲーム、およびワイヤレスディスプレイへの投影を含み得る。
【００４４】
[0055]  ｍｍＷシステムが、低利得を有するチャネルを克服するために、いくつかのアンテナとビームフォーミングとの助けをかりて動作し得る。たとえば、高キャリア周波数帯域における大量の減衰は、送信信号の範囲を数メートル（たとえば、１〜３メートル）に制限し得る。また、障害物（たとえば、壁、家具、人間など）の存在は、高周波数ミリメートル波の伝搬を阻止し得る。したがって、高キャリア周波数における伝搬特性は、損失を克服するためにビームフォーミングのニーズを必要とする。ビームフォーミングは、受信デバイスに高周波数信号を特定の方向でビームフォーミングし、したがって、信号の範囲を拡張するために、協働するアンテナのアレイ（たとえば、フェーズドアレイ）を介して実装され得る。ｍｍＷシステムはスタンドアロン様式で動作し得るが、ｍｍＷシステムは、ＬＴＥなど、より確立されているがより低い周波数の（およびより低い帯域幅の）システムとともに実装され得る。
【００４５】
[0056]  一態様では、本開示は、ＬＴＥシステムとｍｍＷシステムとの間の協働技法を提供する。たとえば、本開示は、基地局のビームフォーミング、同期、または発見（discovery）を助けるためによりロバスト（robust）なシステムの存在を活用し得る。ｍｍＷシステムとより低い周波数システム（たとえば、ＬＴＥ）との間の協働は、１）異なるより低い周波数のロバストなキャリア上で送られ得るｍｍＷチャネル上での発見、同期、または関連付け（association）のためのシグナリングのタイプと、２）ｍｍＷチャネルとより低い周波数キャリア（たとえば、ＬＴＥ）との間の発見および同期シグナリングを送る順序と、３）既存の接続性の活用と、４）送信されたメッセージ中に基地局（ＢＳ）／ユーザ機器（ＵＥ）によって含められるべき情報と、５）ＬＴＥシグナリング中に含められるべき情報とによって可能にされ得る。
【００４６】
[0057]  一態様では、ｍｍＷ対応接続ポイント（ＣＰ：connection point）または基地局（ＢＳ：base station）（ｍｍＷ対応デバイスのためのネットワークアクセスポイント）は、街灯柱、建築物各面に取り付けられ、および／またはメトロセル（metro cell）とコロケート（collocate）され得る。ｍｍＷリンクは、障害物の周りの見通し線（ＬＯＳ：line of sight）または優勢反射経路（dominant reflected path）または回折経路（diffracted path）に沿ったビームフォーミング（beamforming）によって形成され得る。ｍｍＷ対応デバイスの課題は、ビームフォーミングのための適切なＬＯＳまたは反射経路を見つけることである。
【００４７】
[0058]  図８Ａ〜図８Ｃは、ＬＴＥシステムとともに使用されるｍｍＷシステムの例示的な展開を示す図である。図８Ａにおいて、図８００は、ＬＴＥシステムがｍｍＷシステムとは無関係に、およびｍｍＷシステムと並行して動作する展開を示している。図８Ａに示されているように、ＵＥ８０２は、ＬＴＥシステムとｍｍＷシステムとを介して信号を通信することが可能である。したがって、ＵＥ８０２は、ＬＴＥリンク８１０上でｅＮＢ８０４と通信し得る。ＬＴＥリンク８１０と並行して、ＵＥ８０２はまた、第１のｍｍＷリンク８１２上で第１のＢＳ８０６と通信し、第２のｍｍＷリンク８１４上で第２のＢＳ８０８と通信し得る。
【００４８】
[0059]  図８Ｂにおいて、図８３０は、ＬＴＥシステムとｍｍＷシステムとがコロケートされる展開を示している。図８Ｂに示されているように、ＵＥ８３２は、ＬＴＥシステムとｍｍＷシステムとを介して信号を通信することが可能である。一態様では、ＢＳ８３４は、ＬＴＥシステムとｍｍＷシステムとを介して信号を通信することが可能なＬＴＥ  ｅＮＢであり得る。したがって、ＢＳ８３４はＬＴＥ＋ｍｍＷ  ｅＮＢと呼ばれることがある。別の態様では、ＢＳ８３４は、ＬＴＥシステムとｍｍＷシステムとを介して信号を通信することが可能なｍｍＷ  ＣＰであり得る。したがって、ＢＳ８３４はＬＴＥ＋ｍｍＷ  ＢＳと呼ばれることがある。ＵＥ８３２は、ＬＴＥリンク８３６上でＢＳ８３４と通信し得る。一方、ＵＥ８３２はまた、ｍｍＷリンク８３８上でＢＳ８３４と通信し得る。
【００４９】
[0060]  図８Ｃにおいて、図８７０は、ＬＴＥシステムとｍｍＷシステムとを介して信号を通信することが可能なＢＳ（ＬＴＥ＋ｍｍＷ基地局）が、ｍｍＷシステムのみを介して信号を通信することが可能なＢＳとともに存在する展開を示している。図８Ｃに示されているように、ＵＥ８７２は、ＬＴＥリンク８８０上でＬＴＥ＋ｍｍＷ  ＢＳ８７４と通信し得る。ＬＴＥ＋ｍｍＷ  ＢＳ８７４はＬＴＥ＋ｍｍＷ  ｅＮＢであり得る。ＬＴＥリンク８８０と並行して、ＵＥ８７２はまた、第１のｍｍＷリンク８８２上で第２のＢＳ８７６と通信し、第２のｍｍＷリンク８８４上で第３のＢＳ８７８と通信し得る。第２のＢＳ８７６は、第１のｍｍＷバックホールリンク８８４上でＬＴＥ＋ｍｍＷ  ＢＳ８７４とさらに通信し得る。第３のＢＳ８７８は、第２のｍｍＷバックホールリンク８８６上でＬＴＥ＋ｍｍＷ  ＢＳ８７４とさらに通信し得る。
【００５０】
[0061]  一態様では、ｍｍＷ  ＢＳ（ｍｗＢ）の同期、およびネットワーク中の関連するｍｗＢ間のネットワーク状態情報の伝搬は、ネットワークの最適動作のために重要である。時間、周波数、および空間に対する送信干渉（transmission interference）および／または受信干渉（reception interference）を低減するためにｍｗＢ間の同期が望まれる。ｍｗＢ間の同期はまた、効率を増大させ、リソースを節約する。たとえば、２つの非同期ｍｗＢが同時に同じ周波数帯域幅中で送信する場合、２つの送信は互いと干渉し得、どちらの送信も適切に受信されず、したがって、両方の送信のために使用されるリソースを浪費することになる。
【００５１】
[0062]  システム全体の性能を改善するために、同期情報ならびにネットワークの状態および動作に関する他のタイプの情報が、近くのｍｗＢの間で共有され得る。ネットワーク状態情報の例としては、ワイヤレスリンク利用可能性またはグローバル時間情報があり得る。また、全体的スケジュールおよびＢＳ間干渉報告は、ｍｗＢ間で共有され得る。
【００５２】
[0063]  一態様では、ｍｗＢが高帯域幅および高データレートにおいて動作するので、ｍｗＢ間のタイミング同期（timing synchronization）は極めて正確であるべきである（たとえば、１マイクロ秒よりも小さくなるべきである）。ｍｗＢ間の正確なタイミングは、ＧＰＳ信号を使用することによって取得され得る。ＧＰＳ信号は、いくつかのｍｗＢにわたって極めて正確なタイミングを与え得る。しかしながら、市街地で展開されるｍｍＷアクセスネットワークの場合、ＧＰＳ衛星からの信号が建築物または他の構造によって阻止されるときなど、すべてのｍｗＢがＧＰＳ信号を捕捉することが可能であるとは限らない。この問題を解決するために、ＧＰＳ衛星のクリアなビューをもつｍｗＢはＧＰＳ信号を捕捉し、他のｍｗＢのためのタイミング情報（timing information）のソース（source）であり得る。タイミング情報は、ｍｍＷバックホールネットワーク（backhaul network）上で、伝搬され得る（すなわち、ｍｗＢ間ワイヤレスリンク上で伝搬され得る）。
【００５３】
[0064]  ｍｗＢ間ワイヤレスリンクの性能は、２つのｍｗＢ間の見通し線（ＬＯＳ）に大いに依存し得る。しかしながら、ＬＯＳリンクは、予期されない障害物、たとえば、ｍｗＢが取り付けられた２つのランプポスト間に伸びる木によって阻止されることになり得る。代替として、タイミング情報は、ワイヤード接続を介して１つのｍｗＢから別のｍｗＢに伝搬され得る。しかしながら、都市展開におけるハード配線ｍｗＢは大いに費用がかかり得る。そのような場合、タイミング情報は、互いとの同期タイミングを望んでいるｍｗＢに接続されたＵＥを通して中継され得る。ＵＥはまた、ｍｗＢ間のネットワーク状態情報と制御情報とを中継するために使用され得る。
【００５４】
[0065]  図９は、高い伝搬減衰と短いキャリア波長とをもつ無線信号を通信するワイヤレスネットワークを示す図９００である。高い伝搬減衰を克服するために、ワイヤレスネットワークは、無線信号が、ビームフォーミングを介していくつかの方向で集束され、ダイレクトされることを可能にし得る。しかしながら、２つのｍｗＢ間の無線リンクは、厳しい伝搬損失（propagation loss）および／または構成ジオメトリ（configuration geometry）により利用不可能になり得る。そのような条件は、ワイヤレスダウンリンク／アップリンクネットワークにおいて、タイミング情報とネットワーク状態情報との同期および伝搬に対する課題を提示する。
【００５５】
[0066]  一般に、２つのｍｗＢ間の無線リンクが利用不可能であるとき、ｍｗＢ間のバックホールネットワーク（backhaul network）は、情報を同期および共有するために使用され得る。代替的に、ｍｗＢが互いとの直接リンクを有するオーバーレイネットワーク（overlay network）（たとえば、ＬＴＥネットワーク）が使用され得る。バックホールネットワークおよびオーバーレイネットワークは、インターネット（図９中の９１２参照）に接続され得る。しかしながら、ｍｍＷネットワークの場合、バックホールネットワークおよび／またはオーバーレイネットワークは、あまりに低速であり得るか、十分な帯域幅を有しないことがあるか、またはまったく利用可能でないことがある。したがって、本開示は、ＵＥを使用してｍｗＢ間で制御信号（たとえば、タイミング情報およびリソース割振り情報（resource allocation information））と干渉管理信号（interference management signal）とを通信するための技法を提供する。
【００５６】
[0067]  図９を参照すると、第１のｍｗＢ９０２および第２のｍｗＢ９０４は、互いと同期し、タイミング情報および／またはネットワーク状態情報を共有する必要があり得る。しかしながら、オーバーレイネットワーク９１０へのリンク（たとえば、第１のｍｗＢ９０２とオーバーレイネットワーク９１０との間のリンクＬ１、および第２のｍｗＢ９０４とオーバーレイネットワーク９１０との間のリンクＬ２）は利用不可能であるか、または信頼できないことがある。また、バックホールネットワーク９０８へのリンク（たとえば、第１のｍｗＢ９０２とバックホールネットワーク９０８との間のリンクＬ３、および第２のｍｗＢ９０４とバックホールネットワーク９０８との間のリンクＬ４）、または第１のｍｗＢ９０２と第２のｍｗＢ９０４との間の直接リンクＬ５は、利用不可能であるか、または信頼できないことがある。たとえば、直接リンクＬ５は、極度の無線周波数（ＲＦ：radio frequency）伝搬損失により利用不可能であり得る。したがって、第１のｍｗＢ９０２および第２のｍｗＢ９０４は、リンクＬ６およびＬ７を介してＵＥ９０６をリレーとして使用し得る。ＵＥ９０６をリレーとして使用して、第１のｍｗＢ９０２および第２のｍｗＢ９０４は、互いからタイミング情報を受信し、ネットワークリソース割振り情報を交換し得る。
【００５７】
[0068]  本開示の態様では、ＵＥ９０６は、２つまたはそれ以上のｍｗＢ（たとえば、第１のｍｗＢ９０２および第２のｍｗＢ９０４）間の同期情報および／またはネットワーク状態情報の交換を可能にするためにリレーとして参加し得る。概して、ＵＥに接続されたｍｗＢは、（タイミングまたは制御情報を含む）メッセージを近くのｍｗＢに中継するようにＵＥに命令し得る。
【００５８】
[0069]  一態様では、ＵＥ９０６は、ＵＥ９０６が接続されないｍｗＢを含む、ｍｗＢのビームフォーミング方向とビームフォーミングスケジュール／送信スケジュールとを追跡し得る。ＵＥ９０６は、ＵＥ９０６と現在接続されていないｍｗＢに向かう方向に（たとえば、ブロードキャストチャネルを介して）情報を送信し得る。
【００５９】
[0070]  一態様では、ＵＥ９０６は、ＵＥ９０６の近傍にあるｍｗＢからタイミング情報を受信し得る。ＵＥ９０６は、それぞれのｍｗＢから受信されたタイミング情報と予想されるタイミング情報（expected timing information）との間の差異（discrepancy）（差（difference））を測定し得る。ＵＥ９０６は、複数のｍｗＢ間のタイミング差異（差）（timing discrepancy (difference)）をも測定し得る。ＵＥ９０６は、測定されたタイミング差異をｍｗＢに送信し得る。ｍｗＢは、測定値に基づいて別のｍｗＢに関するタイミングを調整し得る。結果として、ｍｗＢの間の同期が改善される。
【００６０】
[0071]  一態様では、ｍｗＢは、同じ周波数帯域中の送信を最小限に抑えるように互いと協調する。たとえば、第１のｍｗＢ９０２への確立されたリンクを有するＵＥ９０６は、第１のｍｗＢ９０２のスペクトル占有情報（リソース割振り情報）を第２のｍｗＢ９０４に中継し得、その逆も同様である。特に、スペクトル占有情報は、ｍｗＢ発見の肯定応答部分中に、またはビーム探索／追跡中に中継され得る。
【００６１】
[0072]  一態様では、ＵＥ９０６は、特定のｍｗＢ（たとえば、第１のｍｗＢ９０２）との確立されたリンクを有し得るが、ＵＥ９０６は、異なるＵＥに接続することを試みている別のｍｗＢから、干渉信号（interfering signal）を受信し得る。受信が干渉されているＵＥ９０６は、干渉するｍｗＢに特定のｍｗＢ（たとえば、第１のｍｗＢ９０２）のスペクトル占有情報を送信し得、その点において、干渉するｍｗＢは、スペクトル占有情報に基づいて、異なるＵＥに接続するために異なる周波数帯域、異なる送信／受信ビーム方向、または異なるタイムスロットを選択するように促される。
【００６２】
[0073]  一態様では、ｍｗＢからの送信は、別のｍｗＢ（たとえば、第１のｍｗＢ９０２）における受信に干渉し得る。この場合、受信が干渉されている第１のｍｗＢ９０２は、それが接続されるＵＥ９０６に、干渉するｍｗＢにスペクトル占有情報をフォワーディングするようにとの命令とともにスペクトル占有情報を送信し得る。ＵＥ９０６は、次いで、命令に基づいて、干渉するｍｗＢに第１のｍｗＢ９０２のスペクトル占有情報を送ることになる。その後、第１のｍｗＢ９０２の受信されたスペクトル占有情報に基づいて、干渉するｍｗＢは、信号を送信するために異なる周波数帯域、異なる送信／受信ビーム方向、または異なるタイムスロットを選択するように促される。
【００６３】
[0074]  図１０は、ユーザ機器（ＵＥ）を動作させる方法のフローチャート１０００である。本方法は、ＵＥ（たとえば、ＵＥ９０６）によって実行され得る。ステップ１００２において、ＵＥは、第１のミリメートル波基地局（ｍｗＢ）から第１の情報を受信する。ステップ１００４において、ＵＥは、受信された第１の情報に基づいて第２の情報を決定する。
【００６４】
[0075]  ステップ１０１０において、ＵＥは第２の情報を少なくとも１つの他のｍｗＢに送信する。第１の情報と第２の情報とは、第１のｍｗＢと少なくとも１つの他のｍｗＢとの間の同期および／またはネットワーク状態に関係し得る。
【００６５】
[0076]  一態様では、第１の情報は第１のｍｗＢのタイミング情報を含み得る。したがって、ステップ１００４において、ＵＥは、第１のｍｗＢのタイミング情報と予想されるタイミング情報との間の第１のタイミング差異（first timing discrepancy）を測定することによって第２の情報を決定する。追加または代替として、ＵＥは、第１のｍｗＢのタイミング情報と少なくとも１つの他のｍｗＢのタイミング情報との間の第２のタイミング差異（second timing discrepancy）を測定することによって第２の情報を決定し得る。したがって、ステップ１０１０において、ＵＥは、測定された第１のタイミング差異および／または測定された第２のタイミング差異を少なくとも１つの他のｍｗＢに送信することによって第２の情報を送信する。
【００６６】
[0077]  一態様では、第１の情報は第１のｍｗＢのリソース割振り情報を含み得る。したがって、ステップ１００４において、ＵＥは、第２の情報を第１の情報であると決定する。その上、ステップ１０１０において、ＵＥは、第１のｍｗＢのリソース割振り情報を少なくとも１つの他のｍｗＢに送信することによって第２の情報を送信する。第１のｍｗＢのリソース割振り情報はｍｗＢ発見中に送信され得る。
【００６７】
[0078]  さらなる態様では、ＵＥが第２の情報を決定した（ステップ１００４）後、ステップ１００６において、ＵＥは少なくとも１つの他のｍｗＢから干渉信号を受信し得る。したがって、ステップ１０１０において、ＵＥは、干渉信号が受信されたとき、第１のｍｗＢのリソース割振り情報を少なくとも１つの他のｍｗＢに送信する。
【００６８】
[0079]  また別の態様では、第１のｍｗＢは少なくとも１つの他のｍｗＢから干渉を受信し得る。第１のｍｗＢによって受信された干渉に基づいて、第１のｍｗＢは、少なくとも１つの他のｍｗＢに第１のｍｗＢに関係する情報を送るための命令をＵＥに送り得る。たとえば、ＵＥが第２の情報を決定した（ステップ１００４）後、ステップ１００８において、ＵＥは、第１のｍｗＢから、第１のｍｗＢのリソース割振り情報を少なくとも１つの他のｍｗＢに送信するようにとの命令を受信する。したがって、ステップ１０１０において、ＵＥは、命令に基づいて少なくとも１つの他のｍｗＢに第１のｍｗＢのリソース割振り情報を送信する。
【００６９】
[0080]  ＵＥ動作は、次いで、ステップ１００２に進み得、ここにおいて、ＵＥは少なくとも１つの他のｍｗＢから第３の情報を受信する。その後、ステップ１００４において、ＵＥは、受信された第３の情報に基づいて第４の情報を決定し、ステップ１０１０において、ＵＥは第４の情報を第１のｍｗＢに送信する。
【００７０】
[0081]  一態様では、第３の情報は少なくとも１つの他のｍｗＢのタイミング情報を含み得る。したがって、ステップ１００４において、ＵＥは、少なくとも１つの他のｍｗＢのタイミング情報と予想されるタイミング情報との間の第１のタイミング差異を測定することによって第４の情報を決定する。追加または代替として、ＵＥは、少なくとも１つの他のｍｗＢのタイミング情報と第１のｍｗＢのタイミング情報との間の第２のタイミング差異を測定することによって第４の情報を決定する。したがって、ステップ１０１０において、ＵＥは、測定された第１のタイミング差異および／または測定された第２のタイミング差異を第１のｍｗＢに送信することによって第４の情報を送信する。
【００７１】
[0082]  別の態様では、第３の情報は少なくとも１つの他のｍｗＢのリソース割振り情報を含み得る。したがって、ステップ１００４において、ＵＥは、第４の情報を第３の情報であると決定する。その上、ステップ１０１０において、ＵＥは、少なくとも１つの他のｍｗＢのリソース割振り情報を第１のｍｗＢに送信することによって第４の情報を送信する。
【００７２】
[0083]  図１１は、例示的な装置１１０２中の異なるモジュール／手段／構成要素間のデータフローを示すデータフロー図１１００である。本装置はＵＥ（たとえば、ＵＥ９０６）であり得る。本装置は、受信モジュール１１０４と、情報処理モジュール１１０６と、干渉処理モジュール１１０８と、命令処理モジュール１１１０と、送信モジュール１１１２とを含む。
【００７３】
[0084]  情報処理モジュール１１０６は、（受信モジュール１１０４を介して）第１のｍｗＢ１１５０から第１の情報を受信する。情報処理モジュール１１０６は、受信された第１の情報に基づいて第２の情報を決定する。
【００７４】
[0085]  情報処理モジュール１１０６は、（送信モジュール１１１２を介して）第２の情報を少なくとも１つの他のｍｗＢ１１７０に送信する。第１の情報と第２の情報とは、第１のｍｗＢ１１５０と少なくとも１つの他のｍｗＢ１１７０との間の同期および／またはネットワーク状態に関係し得る。
【００７５】
[0086]  一態様では、第１の情報は第１のｍｗＢ１１５０のタイミング情報を含み得る。したがって、情報処理モジュール１１０６は、第１のｍｗＢ１１５０のタイミング情報と予想されるタイミング情報との間の第１のタイミング差異を測定することによって第２の情報を決定する。追加または代替として、情報処理モジュール１１０６は、第１のｍｗＢ１１５０のタイミング情報と少なくとも１つの他のｍｗＢ１１７０のタイミング情報との間の第２のタイミング差異を測定することによって第２の情報を決定し得る。したがって、情報処理モジュール１１０６は、測定された第１のタイミング差異および／または測定された第２のタイミング差異を少なくとも１つの他のｍｗＢ１１７０に送信することによって、（送信モジュール１１１２を介して）第２の情報を送信する。
【００７６】
[0087]  一態様では、第１の情報は第１のｍｗＢ１１５０のリソース割振り情報を含み得る。したがって、情報処理モジュール１１０６は、第２の情報を第１の情報であると決定する。その上、情報処理モジュール１１０６は、第１のｍｗＢ１１５０のリソース割振り情報を少なくとも１つの他のｍｗＢ１１７０に送信することによって、（送信モジュール１１１２を介して）第２の情報を送信する。第１のｍｗＢ１１５０のリソース割振り情報はｍｗＢ発見中に送信され得る。
【００７７】
[0088]  さらなる態様では、情報処理モジュール１１０６が第２の情報を決定した後、干渉処理モジュール１１０８は、（受信モジュール１１０４を介して）少なくとも１つの他のｍｗＢ１１７０から干渉信号を受信し得る。したがって、情報処理モジュール１１０６は、干渉信号が受信されたとき、（送信モジュール１１１２を介して）第１のｍｗＢ１１５０のリソース割振り情報を少なくとも１つの他のｍｗＢ１１７０に送信する。
【００７８】
[0089]  また別の態様では、第１のｍｗＢ１１５０は少なくとも１つの他のｍｗＢ１１７０から干渉を受信し得る。第１のｍｗＢ１１５０によって受信された干渉に基づいて、第１のｍｗＢ１１５０は、少なくとも１つの他のｍｗＢ１１７０に第１のｍｗＢ１１５０に関係する情報を送るための命令を装置１１０２に送り得る。たとえば、情報処理モジュール１１０６が第２の情報を決定した後、命令処理モジュール１１１０は、（受信モジュール１１０４を介して）第１のｍｗＢ１１５０から、第１のｍｗＢ１１５０のリソース割振り情報を少なくとも１つの他のｍｗＢ１１７０に送信するようにとの命令を受信し得る。したがって、情報処理モジュール１１０６は、命令に基づいて（送信モジュールを介して）第１のｍｗＢ１１５０のリソース割振り情報を少なくとも１つの他のｍｗＢ１１７０に送信する。
【００７９】
[0090]  情報処理モジュール１１０６は、（受信モジュール１１０４を介して）少なくとも１つの他のｍｗＢ１１７０から第３の情報を受信し得る。その後、情報処理モジュール１１０６は、受信された第３の情報に基づいて第４の情報を決定し、（送信モジュール１１１２を介して）第４の情報を第１のｍｗＢ１１５０に送信する。
【００８０】
[0091]  一態様では、第３の情報は、少なくとも１つの他のｍｗＢ１１７０のタイミング情報を含み得る。したがって、情報処理モジュール１１０６は、少なくとも１つの他のｍｗＢ１１７０のタイミング情報と予想されるタイミング情報との間の第１のタイミング差異を測定することによって第４の情報を決定する。追加または代替として、情報処理モジュール１１０６は、少なくとも１つの他のｍｗＢ１１７０のタイミング情報と第１のｍｗＢ１１５０のタイミング情報との間の第２のタイミング差異を測定することによって第４の情報を決定する。したがって、情報処理モジュール１１０６は、測定された第１のタイミング差異および／または測定された第２のタイミング差異を第１のｍｗＢ１１５０に送信することによって（送信モジュール１１１２を介して）第４の情報を送信する。
【００８１】
[0092]  別の態様では、第３の情報は少なくとも１つの他のｍｗＢ１１７０のリソース割振り情報を含み得る。したがって、情報処理モジュール１１０６は、第４の情報を第３の情報であると決定する。その上、情報処理モジュール１１０６は、少なくとも１つの他のｍｗＢ１１７０のリソース割振り情報を第１のｍｗＢ１１５０に送信することによって（送信モジュール１１１２を介して）第４の情報を送信する。
【００８２】
[0093]  本装置は、図１０の上述のフローチャート中に示されているステップの各々を実行する追加のモジュールを含み得る。したがって、図１０の上述のフローチャート中の各ステップは１つのモジュールによって実行され得、本装置は、それらのモジュールのうちの１つまたは複数を含み得る。モジュールは、述べられたプロセスを行うように特に構成された１つまたは複数のハードウェア構成要素であるか、述べられたプロセスを実行するように構成されたプロセッサによって実装されるか、プロセッサによる実装のためにコンピュータ可読媒体内に記憶されるか、またはそれらの何らかの組合せであり得る。
【００８３】
[0094]  図１２は、処理システム１２１４を採用する装置１１０２’のためのハードウェア実装形態の一例を示す図１２００である。処理システム１２１４は、バス１２２４によって概略的に表されるバスアーキテクチャを用いて実装され得る。バス１２２４は、処理システム１２１４の特定の適用例および全体的な設計制約に応じて、任意の数の相互接続バスおよびブリッジを含み得る。バス１２２４は、プロセッサ１２０４によって表される１つまたは複数のプロセッサおよび／またはハードウェアモジュールと、モジュール１１０４、１１０６、１１０８、１１１０、１１１２と、コンピュータ可読媒体／メモリ１２０６とを含む様々な回路を互いにリンクする。バス１２２４はまた、タイミングソース、周辺機器、電圧調整器、および電力管理回路など、様々な他の回路をリンクし得るが、これらの回路は当技術分野においてよく知られており、したがって、これ以上説明しない。
【００８４】
[0095]  処理システム１２１４はトランシーバ１２１０に結合され得る。トランシーバ１２１０は１つまたは複数のアンテナ１２２０に結合される。トランシーバ１２１０は、伝送媒体を介して様々な他の装置と通信するための手段を与える。トランシーバ１２１０は、１つまたは複数のアンテナ１２２０から信号を受信し、受信された信号から情報を抽出し、抽出された情報を処理システム１２１４、特に受信モジュール１１０４に与える。さらに、トランシーバ１２１０は、処理システム１２１４、特に送信モジュール１１１２から情報を受信し、受信された情報に基づいて、１つまたは複数のアンテナ１２２０に適用されるべき信号を生成する。処理システム１２１４は、コンピュータ可読媒体／メモリ１２０６に結合されたプロセッサ１２０４を含む。プロセッサ１２０４は、コンピュータ可読媒体／メモリ１２０６に記憶されたソフトウェアの実行を含む一般的な処理を担当する。ソフトウェアは、プロセッサ１２０４によって実行されたとき、処理システム１２１４に、特定の装置のための上記で説明した様々な機能を実行させる。コンピュータ可読媒体／メモリ１２０６はまた、ソフトウェアを実行するときにプロセッサ１２０４によって操作されるデータを記憶するために使用され得る。処理システムは、モジュール１１０４、１１０６、１１０８、１１１０、および１１１２のうちの少なくとも１つをさらに含む。それらのモジュールは、プロセッサ１２０４中で動作するか、コンピュータ可読媒体／メモリ１２０６中に常駐する／記憶されたソフトウェアモジュールであるか、プロセッサ１２０４に結合された１つまたは複数のハードウェアモジュールであるか、またはそれらの何らかの組合せであり得る。処理システム１２１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００８５】
[0096]  一構成では、ワイヤレス通信のための装置１１０２／１１０２’は、第１のミリメートル波基地局（ｍｗＢ）から第１の情報を受信するための手段と、受信された第１の情報に基づいて第２の情報を決定するための手段と、第２の情報を少なくとも１つの他のｍｗＢに送信するための手段と、ここにおいて、第１の情報と第２の情報とが、第１のｍｗＢと少なくとも１つの他のｍｗＢとの間の同期またはネットワーク状態のうちの少なくとも１つに関係する、少なくとも１つの他のｍｗＢから干渉信号を受信するための手段と、ここにおいて、第１のｍｗＢのリソース割振り情報は、干渉信号が受信されたとき、少なくとも１つの他のｍｗＢに送信される、第１のｍｗＢから、第１のｍｗＢのリソース割振り情報を少なくとも１つの他のｍｗＢに送信するようにとの命令を受信するための手段と、ここにおいて、第１のｍｗＢのリソース割振り情報が、命令に基づいて少なくとも１つの他のｍｗＢに送信される、少なくとも１つの他のｍｗＢから第３の情報を受信するための手段と、受信された第３の情報に基づいて第４の情報を決定するための手段と、第１のｍｗＢに第４の情報を送信するための手段とを含む。
【００８６】
[0097]  上述の手段は、上述の手段によって具陳された機能を実行するように構成された、装置１１０２、および／または装置１１０２’の処理システム１２１４の上述のモジュールのうちの１つまたは複数であり得る。上記で説明したように、処理システム１２１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【００８７】
[0098]  開示したプロセス／フローチャート中のステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示した特定の順序または階層に限定されるものではない。
【００８８】
[0099]  以上の説明は、当業者が本明細書で説明した様々な態様を実施することができるように与えられた。これらの態様に対する様々な変更は当業者には容易に明らかであり、本明細書で定義した一般原理は他の態様に適用され得る。したがって、特許請求の範囲は、本明細書に示した態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
ユーザ機器（ＵＥ）を動作させる方法であって、
前記ＵＥにおいて、第１のミリメートル波基地局（ｍｗＢ）から第１の情報を受信することと、
前記受信された第１の情報に基づいて第２の情報を決定することと、
前記第２の情報を前記ＵＥから少なくとも１つの他のｍｗＢに送信することと
を備え、
ここにおいて、前記第１の情報と前記第２の情報とが、前記第１のｍｗＢと前記少なくとも１つの他のｍｗＢとの間の同期またはネットワーク状態のうちの少なくとも１つに関係する、方法。
［Ｃ２］
前記第１の情報が前記第１のｍｗＢのタイミング情報を備え、
前記第２の情報を前記決定することが、
前記第１のｍｗＢの前記タイミング情報と予想されるタイミング情報との間の第１のタイミング差異、または
前記第１のｍｗＢの前記タイミング情報と前記少なくとも１つの他のｍｗＢのタイミング情報との間の第２のタイミング差異のうちの少なくとも１つを測定することを備え、
前記第２の情報を前記送信することが、前記測定された第１のタイミング差異または前記測定された第２のタイミング差異のうちの前記少なくとも１つを前記少なくとも１つの他のｍｗＢに送信することを備える、Ｃ１に記載の方法。
［Ｃ３］
前記第１の情報が前記第１のｍｗＢのリソース割振り情報を備え、
前記第２の情報が前記第１の情報であると決定され、
前記第２の情報を前記送信することが、前記第１のｍｗＢの前記リソース割振り情報を前記少なくとも１つの他のｍｗＢに送信することを備える、Ｃ１に記載の方法。
［Ｃ４］
前記第１のｍｗＢの前記リソース割振り情報がｍｗＢ発見中に送信される、Ｃ３に記載の方法。
［Ｃ５］
前記少なくとも１つの他のｍｗＢから干渉信号を受信することをさらに備え、
ここにおいて、前記第１のｍｗＢの前記リソース割振り情報は、前記干渉信号が受信されたとき、前記少なくとも１つの他のｍｗＢに送信される、Ｃ３に記載の方法。
［Ｃ６］
前記第１のｍｗＢが前記少なくとも１つの他のｍｗＢから干渉を受信し、前記方法が、
前記第１のｍｗＢから、前記第１のｍｗＢの前記リソース割振り情報を前記少なくとも１つの他のｍｗＢに送信するようにとの命令を受信することをさらに備え、
ここにおいて、前記第１のｍｗＢの前記リソース割振り情報が、前記命令に基づいて前記少なくとも１つの他のｍｗＢに送信される、Ｃ３に記載の方法。
［Ｃ７］
前記少なくとも１つの他のｍｗＢから第３の情報を受信することと、
前記受信された第３の情報に基づいて第４の情報を決定することと、
前記第１のｍｗＢに前記第４の情報を送信することと
をさらに備える、Ｃ１に記載の方法。
［Ｃ８］
前記第３の情報が前記少なくとも１つの他のｍｗＢのタイミング情報を備え、
前記第４の情報を前記決定することが、
前記少なくとも１つの他のｍｗＢの前記タイミング情報と予想されるタイミング情報との間の第１のタイミング差異、または
前記少なくとも１つの他のｍｗＢの前記タイミング情報と前記第１のｍｗＢのタイミング情報との間の第２のタイミング差異のうちの少なくとも１つを測定することを備え、
前記第４の情報を前記送信することが、前記測定された第１のタイミング差異または前記測定された第２のタイミング差異のうちの前記少なくとも１つを前記第１のｍｗＢに送信することを備える、Ｃ７に記載の方法。
［Ｃ９］
前記第３の情報が前記少なくとも１つの他のｍｗＢのリソース割振り情報を備え、
前記第４の情報が前記第３の情報であると決定され、
前記第４の情報を前記送信することが、前記少なくとも１つの他のｍｗＢの前記リソース割振り情報を前記第１のｍｗＢに送信することを備える、Ｃ７に記載の方法。
［Ｃ１０］
ユーザ機器（ＵＥ）であって、
第１のミリメートル波基地局（ｍｗＢ）から第１の情報を受信するための手段と、
前記受信された第１の情報に基づいて第２の情報を決定するための手段と、
前記第２の情報を少なくとも１つの他のｍｗＢに送信するための手段と
を備え、
ここにおいて、前記第１の情報と前記第２の情報とが、前記第１のｍｗＢと前記少なくとも１つの他のｍｗＢとの間の同期またはネットワーク状態のうちの少なくとも１つに関係する、ＵＥ。
［Ｃ１１］
前記第１の情報が前記第１のｍｗＢのタイミング情報を備え、
前記第２の情報を決定するための前記手段が、
前記第１のｍｗＢの前記タイミング情報と予想されるタイミング情報との間の第１のタイミング差異、または
前記第１のｍｗＢの前記タイミング情報と前記少なくとも１つの他のｍｗＢのタイミング情報との間の第２のタイミング差異のうちの少なくとも１つを測定するように構成され、
前記第２の情報を送信するための前記手段が、前記測定された第１のタイミング差異または前記測定された第２のタイミング差異のうちの前記少なくとも１つを前記少なくとも１つの他のｍｗＢに送信するように構成された、Ｃ１０に記載のＵＥ。
［Ｃ１２］
前記第１の情報が前記第１のｍｗＢのリソース割振り情報を備え、
前記第２の情報が前記第１の情報であると決定され、
前記第２の情報を送信するための前記手段が、前記第１のｍｗＢの前記リソース割振り情報を前記少なくとも１つの他のｍｗＢに送信するように構成された、Ｃ１０に記載のＵＥ。
［Ｃ１３］
前記第１のｍｗＢの前記リソース割振り情報がｍｗＢ発見中に送信される、Ｃ１２に記載のＵＥ。
［Ｃ１４］
前記少なくとも１つの他のｍｗＢから干渉信号を受信するための手段をさらに備え、
ここにおいて、前記第１のｍｗＢの前記リソース割振り情報は、前記干渉信号が受信されたとき、前記少なくとも１つの他のｍｗＢに送信される、Ｃ１２に記載のＵＥ。
［Ｃ１５］
前記第１のｍｗＢが前記少なくとも１つの他のｍｗＢから干渉を受信し、前記ＵＥが、
前記第１のｍｗＢから、前記第１のｍｗＢの前記リソース割振り情報を前記少なくとも１つの他のｍｗＢに送信するようにとの命令を受信するための手段をさらに備え、
ここにおいて、前記第１のｍｗＢの前記リソース割振り情報が、前記命令に基づいて前記少なくとも１つの他のｍｗＢに送信される、Ｃ１２に記載のＵＥ。
［Ｃ１６］
前記少なくとも１つの他のｍｗＢから第３の情報を受信するための手段と、
前記受信された第３の情報に基づいて第４の情報を決定するための手段と、
前記第１のｍｗＢに前記第４の情報を送信するための手段と
をさらに備える、Ｃ１０に記載のＵＥ。
［Ｃ１７］
前記第３の情報が前記少なくとも１つの他のｍｗＢのタイミング情報を備え、
前記第４の情報を決定するための前記手段が、
前記少なくとも１つの他のｍｗＢの前記タイミング情報と予想されるタイミング情報との間の第１のタイミング差異、または
前記少なくとも１つの他のｍｗＢの前記タイミング情報と前記第１のｍｗＢのタイミング情報との間の第２のタイミング差異のうちの少なくとも１つを測定するように構成され、
前記第４の情報を送信するための前記手段が、前記測定された第１のタイミング差異または前記測定された第２のタイミング差異のうちの前記少なくとも１つを前記第１のｍｗＢに送信するように構成された、Ｃ１６に記載のＵＥ。
［Ｃ１８］
前記第３の情報が前記少なくとも１つの他のｍｗＢのリソース割振り情報を備え、
前記第４の情報が前記第３の情報であると決定され、
前記第４の情報を送信するための前記手段が、前記少なくとも１つの他のｍｗＢの前記リソース割振り情報を前記第１のｍｗＢに送信するように構成された、Ｃ１６に記載のＵＥ。
［Ｃ１９］
ユーザ機器（ＵＥ）であって、
メモリと、
前記メモリに結合された少なくとも１つのプロセッサと
を備え、前記少なくとも１つのプロセッサが、
第１のミリメートル波基地局（ｍｗＢ）から第１の情報を受信することと、
前記受信された第１の情報に基づいて第２の情報を決定することと、
前記第２の情報を少なくとも１つの他のｍｗＢに送信することと
を行うように構成され、
ここにおいて、前記第１の情報と前記第２の情報とが、前記第１のｍｗＢと前記少なくとも１つの他のｍｗＢとの間の同期またはネットワーク状態のうちの少なくとも１つに関係する、ＵＥ。
［Ｃ２０］
前記第１の情報が前記第１のｍｗＢのタイミング情報を備え、
前記少なくとも１つのプロセッサが、
前記第１のｍｗＢの前記タイミング情報と予想されるタイミング情報との間の第１のタイミング差異、または
前記第１のｍｗＢの前記タイミング情報と前記少なくとも１つの他のｍｗＢのタイミング情報との間の第２のタイミング差異のうちの少なくとも１つを測定することによって前記第２の情報を決定し、
前記少なくとも１つのプロセッサが、前記測定された第１のタイミング差異または前記測定された第２のタイミング差異のうちの前記少なくとも１つを前記少なくとも１つの他のｍｗＢに送信することによって前記第２の情報を送信する、Ｃ１９に記載のＵＥ。
［Ｃ２１］
前記第１の情報が前記第１のｍｗＢのリソース割振り情報を備え、
前記第２の情報が前記第１の情報であると決定され、
前記少なくとも１つのプロセッサが、前記第１のｍｗＢの前記リソース割振り情報を前記少なくとも１つの他のｍｗＢに送信することによって前記第２の情報を送信する、Ｃ１９に記載のＵＥ。
［Ｃ２２］
前記第１のｍｗＢの前記リソース割振り情報がｍｗＢ発見中に送信される、Ｃ２１に記載のＵＥ。
［Ｃ２３］
前記少なくとも１つのプロセッサが、
前記少なくとも１つの他のｍｗＢから干渉信号を受信するようにさらに構成され、
ここにおいて、前記第１のｍｗＢの前記リソース割振り情報は、前記干渉信号が受信されたとき、前記少なくとも１つの他のｍｗＢに送信される、Ｃ２１に記載のＵＥ。
［Ｃ２４］
前記第１のｍｗＢが前記少なくとも１つの他のｍｗＢから干渉を受信し、前記少なくとも１つのプロセッサが、
前記第１のｍｗＢから、前記第１のｍｗＢの前記リソース割振り情報を前記少なくとも１つの他のｍｗＢに送信するようにとの命令を受信するようにさらに構成され、
ここにおいて、前記第１のｍｗＢの前記リソース割振り情報が、前記命令に基づいて前記少なくとも１つの他のｍｗＢに送信される、Ｃ２１に記載のＵＥ。
［Ｃ２５］
前記少なくとも１つのプロセッサが、
前記少なくとも１つの他のｍｗＢから第３の情報を受信することと、
前記受信された第３の情報に基づいて第４の情報を決定することと、
前記第１のｍｗＢに前記第４の情報を送信することと
を行うようにさらに構成された、Ｃ１９に記載のＵＥ。
［Ｃ２６］
前記第３の情報が前記少なくとも１つの他のｍｗＢのタイミング情報を備え、
前記少なくとも１つのプロセッサが、
前記少なくとも１つの他のｍｗＢの前記タイミング情報と予想されるタイミング情報との間の第１のタイミング差異、または
前記少なくとも１つの他のｍｗＢの前記タイミング情報と前記第１のｍｗＢのタイミング情報との間の第２のタイミング差異のうちの少なくとも１つを測定することによって前記第４の情報を決定し、
前記少なくとも１つのプロセッサが、前記測定された第１のタイミング差異または前記測定された第２のタイミング差異のうちの前記少なくとも１つを前記第１のｍｗＢに送信することによって前記第４の情報を送信する、Ｃ２５に記載のＵＥ。
［Ｃ２７］
前記第３の情報が前記少なくとも１つの他のｍｗＢのリソース割振り情報を備え、
前記第４の情報が前記第３の情報であると決定され、
前記少なくとも１つのプロセッサが、前記少なくとも１つの他のｍｗＢの前記リソース割振り情報を前記第１のｍｗＢに送信することによって前記第４の情報を送信する、Ｃ２５に記載のＵＥ。
［Ｃ２８］
コンピュータ可読媒体に記憶されたコンピュータプログラム製品であって、少なくとも１つのプロセッサ上で実行されたとき、
ユーザ機器（ＵＥ）において、第１のミリメートル波基地局（ｍｗＢ）から第１の情報を受信するステップと、
前記受信された第１の情報に基づいて第２の情報を決定するステップと、
前記第２の情報を前記ＵＥから少なくとも１つの他のｍｗＢに送信するステップと
を実行するコードを備え、
ここにおいて、前記第１の情報と前記第２の情報とが、前記第１のｍｗＢと前記少なくとも１つの他のｍｗＢとの間の同期またはネットワーク状態のうちの少なくとも１つに関係する、コンピュータプログラム製品。
【図１】
0006585084.tif 000002
【図２】
0006585084.tif 000003
【図３】
0006585084.tif 000004
【図４】
0006585084.tif 000005
【図５】
0006585084.tif 000006
【図６】
0006585084.tif 000007
【図７】
0006585084.tif 000008
【図８Ａ】
0006585084.tif 000009
【図８Ｂ】
0006585084.tif 000010
【図８Ｃ】
0006585084.tif 000011
【図９】
0006585084.tif 000012
【図１０】
0006585084.tif 000013
【図１１】
0006585084.tif 000014
【図１２】
0006585084.tif 000015